(57)【要約】【課題】  屋外からの作業のみで屋外から取り外されない状態とすることができる面格子を提供する。【解決手段】  本発明の一態様に係る面格子は、内障子及び外障子を有する引き違い窓の窓枠に設置可能な面格子であって、前記引き違い窓用のレールよりも屋外側に位置する屋外レールに沿ってスライドし、閉じた内障子に対応する第１設置位置にあるときは屋外レールに対して着脱不能である一方、所定の着脱位置にあるときは屋外レールに対して着脱可能である面格子本体と、面格子本体に設けられ、非係止位置と該非係止位置よりも屋内側の係止位置との間で変位する第１係止部材と、面格子本体が着脱位置から第１設置位置にスライドしたとき、第１係止部材を付勢して第１係止部材を非係止位置から係止位置へ変位させ、閉じた外障子に第１係止部材を係止させて面格子本体のスライドを規制する付勢部材と、を備えている。【選択図】図１
2019007330.tif 000002
【特許請求の範囲】
【請求項１】
内障子及び外障子を有する引き違い窓の窓枠に設置可能な面格子であって、
前記引き違い窓用のレールよりも屋外側に位置する屋外レールに沿ってスライドし、閉じた内障子に対応する第１設置位置にあるときは前記屋外レールに対して着脱不能である一方、所定の着脱位置にあるときは前記屋外レールに対して着脱可能である面格子本体と、
前記面格子本体に設けられ、非係止位置と該非係止位置よりも屋内側の係止位置との間で変位する第１係止部材と、
前記面格子本体が前記着脱位置から前記第１設置位置にスライドしたとき、前記第１係止部材を付勢して前記第１係止部材を非係止位置から係止位置へ変位させ、閉じた外障子に前記第１係止部材を係止させて前記面格子本体のスライドを規制する付勢部材と、を備えた面格子。
【請求項２】
前記面格子本体は、閉じた外障子に対応する第２設置位置にあるときは前記屋外レールに対して着脱不能であって、
当該面格子は、前記面格子本体に設けられ、非係止位置と該非係止位置よりも屋内側の係止位置との間で変位する第２係止部材をさらに備え、
前記第２係止部材は、前記面格子本体が前記第２設置位置にありかつ当該第２係止部材が係止位置にあるとき、開いた外障子に係止して前記面格子本体のスライドを規制可能に構成されている、請求項１に記載の面格子。
【請求項３】
前記第１係止部材及び前記第２係止部材は、非係止位置にある状態を維持できるように構成されている、請求項２に記載の面格子。
【請求項４】
内障子及び外障子を有する引き違い窓の窓枠に設置可能な面格子であって、
前記引き違い窓用のレールよりも屋外側に位置する屋外レールに沿ってスライドし、閉じた内障子に対応する第１設置位置にあるときは前記屋外レールに対して着脱不能である一方、所定の着脱位置にあるときは前記屋外レールに対して着脱可能である面格子本体と、
前記面格子本体に設けられ、非係止位置と該非係止位置よりも屋内側の係止位置との間で変位する第３係止部材と、を備え、
前記第３係止部材は、前記面格子本体の幅方向に延びており、前記面格子本体が前記第１設置位置にありかつ当該第３係止部材が係止位置にあるとき、閉じた外障子に前記第３係止部材の一端部分が係止して前記面格子本体のスライドを規制可能であり、当該第３係止部材の非係止位置から係止位置への変位を屋外から操作可能である一方、係止位置から非係止位置への変位を屋外から操作不能に構成されている、面格子。
【請求項５】
前記面格子本体は、閉じた外障子に対応する第２設置位置にあるときは前記屋外レールに対して着脱不能であって、
前記第３係止部材は、前記面格子本体が前記第２設置位置にありかつ当該第３係止部材が係止位置にあるとき、開いた外障子に当該第３係止部材の他端部分が係止して前記面格子本体の移動を規制可能に構成されている、請求項４に記載の面格子。
【請求項６】
前記第３係止部材は、板状に形成されており、前記面格子本体に対して平行であって前記非係止位置に相当する平行位置と前記面格子本体に対して垂直であって前記係止位置に相当する垂直位置との間で前記面格子本体に対して回動可能に構成されている、請求項５に記載の面格子。
【請求項７】
前記第３係止部材が非係止位置から係止位置に変位したときに作動し、前記第３係止部材の係止位置から非係止位置への変位を規制するロック機構をさらに備える、請求項４乃至６のうちいずれか一の項に記載の面格子。
【請求項８】
前記窓枠に固定され、前記面格子本体が前記第１設置位置にあるときに前記面格子本体と前記窓枠との隙間に位置することで前記面格子本体を前記屋外レールに対して着脱不能にする第１間隙部材をさらに備える、請求項１乃至７のうちいずれか一の項に記載の面格子。
【請求項９】
前記窓枠に固定され、前記面格子本体が前記第２設置位置にあるときに前記面格子本体と前記窓枠との隙間に位置することで前記面格子本体を前記屋外レールに対して着脱不能にする第２間隙部材をさらに備え、
前記第１間隙部材及び前記第２間隙部材は前記窓枠の幅方向中央部分以外の部分に設けられており、前記窓枠の幅方向中央部分に対応する位置が前記面格子本体の着脱位置である、請求項８に記載の面格子。
【請求項１０】
前記面格子本体は中央部分に設けられた開口部の全面に張られたネットを有する、請求項１乃至９のうちいずれか一の項に記載の面格子。
【発明の詳細な説明】
【技術分野】
【０００１】
本発明は面格子に関し、特に引き違い窓の窓枠に設置可能な面格子に関する。
【背景技術】
【０００２】
窓を覆う防犯用の面格子は壁などに設置するのが一般的である。ただし、面格子の設置作業を容易に行いたいという要望や、面格子を開閉したいという要望があることから、特許文献１では引き違い窓（引き違い戸）の窓枠に設置可能な面格子を提案している。ただし、窓枠に面格子を設置する場合は、防犯の観点から、いかにして面格子を屋外から取り外されないように構成するかが課題となる。この点について、特許文献１に記載の面格子では、屋内から鍵をかけることができる構成とすることで屋外から取り外されるのを防いでいる。
【先行技術文献】
【特許文献】
【０００３】
【特許文献１】特開２００６−２９９７９０号公報
【発明の概要】
【発明が解決しようとする課題】
【０００４】
上記のように、引用文献１に記載の面格子では、屋外から取り外されない状態にするには鍵をかけるという屋内からの作業が必要となる。そのため、大勢の居住者がすでに入居している集合住宅に引用文献１に記載の面格子を設置する場合、各居住者とのスケジュール調整が必要であり設置作業の日程を組むのが容易ではない。
【０００５】
本発明は、以上のような事情に鑑みてなされたものであり、窓枠に設置可能な面格子であって、屋外からの作業のみで屋外から取り外されない状態とすることができる面格子を提供することを目的とする。
【課題を解決するための手段】
【０００６】
本発明の一態様に係る面格子は、内障子及び外障子を有する引き違い窓の窓枠に設置可能な面格子であって、前記引き違い窓用のレールよりも屋外側に位置する屋外レールに沿ってスライドし、閉じた内障子に対応する第１設置位置にあるときは前記屋外レールに対して着脱不能である一方、所定の着脱位置にあるときは前記屋外レールに対して着脱可能である面格子本体と、前記面格子本体に設けられ、非係止位置と該非係止位置よりも屋内側の係止位置との間で変位する第１係止部材と、前記面格子本体が前記着脱位置から前記第１設置位置にスライドしたとき、前記第１係止部材を付勢して前記第１係止部材を非係止位置から係止位置へ変位させ、閉じた外障子に前記第１係止部材を係止させて前記面格子本体のスライドを規制する付勢部材と、を備えている。
【０００７】
この構成によれば、面格子本体を着脱位置において屋外レールに取り付けた後、面格子本体を第１設置位置にスライドさせれば、面格子本体は屋外から取り外すことができない状態となる。そして、上記の付勢部材は、面格子本体が着脱位置から第１設置位置にスライドしたとき、第１係止部材を付勢して第１係止部材を非係止位置から係止位置へ変位させ、閉じた外障子に第１係止部材を係止させて面格子本体のスライドを規制することができる。そのため、上記の構成によれば、面格子本体は着脱位置から第１設置位置にスライドした後、着脱位置へのスライドが規制されることになる。よって、上記の構成によれば、屋外からの作業のみで面格子を屋外から取り外されない状態にすることができる。
【０００８】
また、上記の面格子において、前記面格子本体は、閉じた外障子に対応する第２設置位置にあるときは前記屋外レールに対して着脱不能であって、当該面格子は、前記面格子本体に設けられ、非係止位置と該非係止位置よりも屋内側の係止位置との間で変位する第２係止部材をさらに備え、前記第２係止部材は、前記面格子本体が前記第２設置位置にありかつ当該第２係止部材が係止位置にあるとき、開いた外障子に係止して前記面格子本体のスライドを規制可能に構成されていてもよい。
【０００９】
この構成によれば、第２設置位置において、開いた外障子に第２係止部材を係止させることで面格子本体のスライドは規制される。つまり、この構成によれば、閉じた内障子に対応する位置（第１設置位置）と閉じた外障子に対応する位置（第２設置位置）の両方に面格子本体を設置することができるため、面格子の設置の自由度が向上する。
【００１０】
前記第１係止部材及び前記第２係止部材は、非係止位置にある状態を維持できるように構成されていてもよい。
【００１１】
この構成によれば、第１係止部材及び第２係止部材が非係止位置にある状態を維持できることから、面格子本体をスライドさせる際に第１係止部材及び第２係止部材が外障子や他の部材に引っ掛かるのを防ぐことができる。よって、面格子の取付作業や面格子の開閉を容易に行うことができる。
【００１２】
本発明の他の形態に係る面格子は、内障子及び外障子を有する引き違い窓の窓枠に設置可能な面格子であって、前記引き違い窓用のレールよりも屋外側に位置する屋外レールに沿ってスライドし、閉じた内障子に対応する第１設置位置にあるときは前記屋外レールに対して着脱不能である一方、所定の着脱位置にあるときは前記屋外レールに対して着脱可能である面格子本体と、前記面格子本体に設けられ、非係止位置と該非係止位置よりも屋内側の係止位置との間で変位する第３係止部材と、を備え、前記第３係止部材は、前記面格子本体の幅方向に延びており、前記面格子本体が前記第１設置位置にありかつ当該第３係止部材が係止位置にあるとき、閉じた外障子に前記第３係止部材の一端部分が係止して前記面格子本体のスライドを規制可能であり、当該第３係止部材の非係止位置から係止位置への変位を屋外から操作可能である一方、係止位置から非係止位置への変位を屋外から操作不能に構成されている。
【００１３】
この構成では、第３係止部材の非係止位置から係止位置への変位を屋外から操作可能である一方、係止位置から非係止位置への変位を屋外から操作不能である。そのため、面格子本体が着脱位置から第１設置位置にスライドした後、面格子本体のスライドを規制することができ、しかもそれを屋外から解除できないため、屋外からの作業のみで面格子を屋外から取り外されない状態にすることができる。
【００１４】
また、上記の面格子において、前記面格子本体は、閉じた外障子に対応する第２設置位置にあるときは前記屋外レールに対して着脱不能であって、前記第３係止部材は、前記面格子本体が前記第２設置位置にありかつ当該第３係止部材が係止位置にあるとき、開いた外障子に当該第３係止部材の他端部分が係止して前記面格子本体の移動を規制可能に構成されていてもよい。
【００１５】
この構成によれば、開いた外障子に第３係止部材の他端部分を係止させることで面格子本体のスライドを規制することができる。つまり、この構成によれば、閉じた内障子に対応する位置（第１設置位置）と閉じた外障子に対応する位置（第２設置位置）の両方に面格子本体を設置することができるため、面格子の設置の自由度が向上する。しかも、第１設置位置及び第２設置位置のいずれにおいても第３係止部材を用いて面格子本体を設置（固定）することができる。
【００１６】
また、上記の面格子において、前記第３係止部材は、板状に形成されており、前記面格子本体に対して平行であって前記非係止位置に相当する平行位置と前記面格子本体に対して垂直であって前記係止位置に相当する垂直位置との間で前記面格子本体に対して回動可能に構成されていてもよい。
【００１７】
この構成によれば、第３係止部材を回動させることにより、第３係止部材を非係止位置から係止位置まで変位させることができる。よって、第３係止部材の変位を容易に行うことができる。
【００１８】
また、上記の面格子において、前記第３係止部材が非係止位置から係止位置に変位したときに作動し、前記第３係止部材の係止位置から非係止位置への変位を規制するロック機構をさらに備えていてもよい。
【００１９】
この構成によれば、ロック機構が第３係止部材の係止位置から非係止位置への変位を規制することで、面格子を屋外から取り外されない状態にすることができる。
【００２０】
また、上記の面格子において、前記窓枠に固定され、前記面格子本体が前記第１設置位置にあるときに前記面格子本体と前記窓枠との隙間に位置することで前記面格子本体を前記屋外レールに対して着脱不能にする第１間隙部材をさらに備えていてもよい。
【００２１】
この構成によれば、面格子本体が第１設置位置にあるとき屋外レールに対して着脱不能である状態を容易に作り出すことができる。
【００２２】
また、上記の面格子において、前記窓枠に固定され、前記面格子本体が前記第２設置位置にあるときに前記面格子本体と前記窓枠との隙間に位置することで前記面格子本体を前記屋外レールに対して着脱不能にする第２間隙部材をさらに備え、前記第１間隙部材及び前記第２間隙部材は前記窓枠の幅方向中央部分以外の部分に設けられており、前記窓枠の幅方向中央部分に対応する位置が前記面格子本体の着脱位置であってもよい。
【００２３】
この構成によれば、面格子本体が第１設置位置及び第２設置位置にあるとき屋外レールに対して着脱不能な状態を容易に作り出すことができるとともに、着脱位置も確保することができる。
【００２４】
また、上記の面格子において、前記面格子本体は中央部分に設けられた開口部の全面に張られたネットを有していてもよい。
【００２５】
この構成によれば、面格子を介して屋内に害虫等が侵入するのを防ぐことができる。
【発明の効果】
【００２６】
上記の面格子によれば、屋外からの作業のみで屋外から取り外されない状態とすることができる。
【図面の簡単な説明】
【００２７】
【図１】図１は、第１実施形態に係る面格子を屋外から見た図であって、面格子本体が第１設置位置にある状態の図である。
【図２】図２は、図１に示す面格子を屋内から見た図であって、面格子本体が第１設置位置にある状態の図である。
【図３】図３は、図１に示す面格子を屋外から見た図であって、面格子本体が第２設置位置にある状態の図である。
【図４】図４は、図１に示す面格子を屋内から見た図であって、面格子本体が第２設置位置にある状態の図である。
【図５】図５は、図１に示す面格子の概略断面図である。
【図６】図６は、図１に示す第１係止部材（第２係止部材）の動作を示した図である。
【図７】図７は、第２実施形態に係る面格子を屋外から見た図であって、面格子本体が第１設置位置にある状態の図である。
【図８】図８は、図７に示す面格子を屋外から見た図であって、面格子本体が第２設置位置にある状態の図である。
【図９】図９は、図７に示す面格子の斜視図であって、第３係止部材が非係止位置にある状態の図である。
【図１０】図１０は、図７に示す面格子の斜視図であって、第３係止部材が係止位置にある状態の図である。
【発明を実施するための形態】
【００２８】
（第１実施形態）
まず、本発明の第１実施形態に係る面格子１００について説明する。ここでは、はじめに面格子１００の全体構成について説明し、その後、面格子１００の取付作業の手順について説明する。
【００２９】
＜面格子の全体構成＞
本実施形態に係る面格子１００は、引き違い窓１０１の窓枠１０２に取り付けられるように構成されている。図１は面格子１００を屋外から見た図であって、面格子本体１０が第１設置位置にある状態の図である。図２は、面格子１００を屋内から見た図であって、面格子本体１０が第１設置位置にある状態の図である。図３は、面格子１００を屋外から見た図であって、面格子本体１０が第２設置位置にある状態の図である。図４は、面格子１００を屋内から見た図であって、面格子本体１０が第２設置位置にある状態の図である。図５は、面格子１００の概略断面図である。図５の紙面左側が屋外であり、紙面右側が屋内である。
【００３０】
引き違い窓１０１は、屋内側に位置する内障子１０３と屋外側に位置する外障子１０４を備えている。内障子１０３及び外障子１０４は、いずれもガラス窓である。引き違い窓１０１は、内障子１０３と外障子１０４をクレセント錠１０５によって連結することで施錠することができる。なお、図１及び図２では、内障子１０３及び外障子１０４の両方が閉じた状態にある。
【００３１】
図５に示すように、引き違い窓１０１の窓枠１０２は上下で対をなすレールを３組有している。具体的には、窓枠１０２は、最も屋内側に位置して内障子１０３を案内する内障子用レール１０６と、内障子用レール１０６よりも屋外側に位置して外障子１０４を案内する外障子用レール１０７と、外障子用レール１０７よりも屋外側に位置して面格子１００を案内する屋外レール１０８を有している。なお、屋外レール１０８は、一般的に網戸用のレールとしても用いられる。
【００３２】
本実施形態に係る面格子１００は、面格子本体１０と、第１係止部材１１と、第１付勢部材１２（図６参照）と、第２係止部材１３と、第２付勢部材１４（図６参照）と、第１間隙部材１５と、第２間隙部材１６と、を備えている。以下、これらの構成要素について順に説明する。
【００３３】
面格子本体１０は、中央部分に開口部２０が形成された矩形状の枠部材２１と、枠部材２１の開口部２０に設けられた複数の羽板２２と、枠部材２１の開口部２０の全面に張られたネット２３と、を有している。枠部材２１の開口部２０の全面にはネット２３が張られているため、面格子１００を介して屋内に害虫等が侵入するのを防ぐことができる。また、本実施形態では、各羽板２２は水平に対して一定の角度をなして傾斜している。ただし、正面から見た時の開口部２０の開口面積を調整できるように、羽板２２は傾斜角度を変えられるように構成されていてもよい。
【００３４】
面格子本体１０は、断面Ｌ字状の取付金具２４を介して屋外レール１０８に取り付けられており、屋外レール１０８に沿ってスライドする。なお、下側の取付金具２４には面格子本体１０の滑りを良くするために戸車を設けてもよい。上述したように、図１及び図２は、面格子本体１０が第１設置位置にある状態の図である。第１設置位置は、閉じた状態の内障子１０３に対応する位置である。また、図３及び図４は、面格子本体１０が第２設置位置にある状態の図である。第２設置位置は、閉じた状態の外障子１０４に対応する位置である。なお、図３及び図４では、内障子１０３は閉じて外障子１０４は開いており、内障子１０３と外障子１０４は互いに重なった状態にある。
【００３５】
第１係止部材１１は、面格子本体１０の枠部材２１に設けられており、枠部材２１の屋内側の面から屋内に向かって突出している。また、図１及び図２に示すように、第１係止部材１１は、面格子本体１０が第１設置位置にあるとき、閉じた状態の外障子１０４の近傍に位置している。
【００３６】
図６は第１係止部材１１（第２係止部材１３）の拡大図であって、第１係止部材１１（第２係止部材１３）の動作を示している。なお、図６において紙面右側が屋内側である。第１係止部材１１は、係止位置と非被係止位置の間で移動（変位）できるように構成されている。また、図６の（ａ）、（ｂ）で示す第１係止部材１１は非係止位置にあり、図６の（ｃ）で示す第１係止部材１１は係止位置にある。図６からわかるように、係止位置は非係止位置よりも屋内側である。
【００３７】
図６の（ｃ）に示すように、第１係止部材１１が係止位置にあるときは非係止位置にあるときに比べて突出量（面格子本体１０から第１係止部材１１の先端までの距離）が大きい。そのため、第１係止部材１１が係止位置にあるときは、面格子本体１０が第１設置位置から移動しようとすると、第１係止部材１１が外障子１０４の側端面に接触して係止し、面格子本体１０の移動が規制される。一方、図６の（ａ）、（ｂ）に示すように、第１係止部材１１が非係止位置にあるときは係止位置にあるときに比べて突出量が小さい。そのため、第１係止部材１１が非係止位置にあるときは、面格子本体１０が第１設置位置から移動しても、第１係止部材１１は外障子１０４の側端面に係止せず、面格子本体１０の移動は許容される。
【００３８】
具体的な構成として、第１係止部材１１は屋内側端部が閉じた円筒状の形状を有しており、第１係止部材１１の内部には面格子本体１０に固定された円柱状のガイド部材３１が挿入されている。これにより、第１係止部材１１はガイド部材３１に沿って、かつ、面格子本体１０に対して垂直な方向に移動する。
【００３９】
また、第１係止部材１１の外周面には案内溝３２が形成されている。案内溝３２は、軸方向に延びる直線部３４と、その直線部３４の両端から周方向に延びる２つの周方向部３５、３６と、各周方向部３５、３６の端部から屋外に向かって軸方向に短く伸びる窪み部３７、３８を有している。この案内溝３２には、ガイド部材３１の側面に固定された突起片３３が挿入されている。
【００４０】
第１付勢部材１２は、第１係止部材１１を屋内に向かって付勢する部材である。第１付勢部材１２は、第１係止部材１１の内部であって、ガイド部材３１の屋内側端面と第１係止部材１１の屋内側内部端面との間に位置している。
【００４１】
図６の（ａ）に示すように、突起片３３が室内側の窪み部３７にあるときは、第１付勢部材１２が第１係止部材１１を室内に向かって付勢することにより、突起片３３が室内側の窪み部３７にある状態が維持される。つまり、第１係止部材１１が非係止位置にある状態が維持される。
【００４２】
第１係止部材１１を図６の（ａ）に示す位置から屋外に向かって手で押し込んで矢印の方向に回すと、図６の（ｂ）に示すように直線部３４の屋内側端部に突起片３３が位置する。この状態で手を離せば、第１付勢部材１２が第１係止部材１１を屋内に向かって付勢することにより、第１係止部材１１は係止位置に移動する。
【００４３】
第１係止部材１１が係止位置に移動した後、図６の（ａ）の場合とは反対の方向に第１係止部材１１を回せば、第１付勢部材１２が第１係止部材１１を屋内に向かって付勢することで、図６の（ｃ）に示すように、突起片３３が屋外側の窪み部３８に入り込む。これにより、第１係止部材１１は、係止位置にある状態が維持される。
【００４４】
第２係止部材１３は、面格子本体１０の枠部材２１に設けられており、枠部材２１の屋内側の面から屋内に向かって突出している。また、図３及び図４に示すように、第２係止部材１３は、面格子本体１０が第２設置位置にあるとき、開いた状態の外障子１０４の近傍に位置している。
【００４５】
第２係止部材１３は、第１係止部材１１と構造が同じであり、係止位置と非係止位置の間で移動する。第２係止部材１３が係止位置にあるとき、面格子本体１０が第２設置位置から移動しようとすると、第２係止部材１３が外障子１０４の側端面（第１係止部材１１が接触する側端面とは幅方向反対側の側端面）に接触して係止し、面格子本体１０の移動が規制される。一方、第２係止部材１３が非係止位置にあるときは、面格子本体１０が第２設置位置から移動しても、第２係止部材１３は外障子１０４の側端面に係止せず、面格子本体１０の移動は許容される。
【００４６】
第２付勢部材１４は、第２係止部材１３を屋内に向かって付勢する部材である。第２付勢部材１４は、第１付勢部材１２と構成が同じであるため、第２付勢部材１４についての詳細な説明は省略する。
【００４７】
第１間隙部材１５は、窓枠１０２の幅方向中央よりも第１設置位置側に位置し、上側の屋外レール１０８の近傍に固定されている部材である。また、図５に示すように、第１間隙部材１５は、面格子本体１０が第１設置位置にあるとき、面格子本体１０と窓枠１０２との隙間に位置するように構成されている。
【００４８】
ここで、本来、面格子本体１０と窓枠１０２（屋外レール１０８）との間には一定以上の隙間がある。そのため、面格子本体１０を窓枠１０２の上部に押し当てるようにして持ち上げ、その状態で面格子本体１０の下端部分を下側の屋外レール１０８から外せば、面格子本体１０を窓枠１０２から取り外すことができる。ただし、面格子本体１０が第１設置位置にあるときには、第１間隙部材１５が面格子本体１０と窓枠１０２との隙間に位置するため、面格子本体１０を十分に持ち上げることができず、面格子本体１０を窓枠１０２から取り外すことができない。
【００４９】
第２間隙部材１６は、窓枠１０２の幅方向中央よりも第２設置位置側に位置し、上側の屋外レール１０８の近傍に固定されている部材である。また、図５に示すように、第２間隙部材１６は、面格子本体１０が第２設置位置にあるとき、面格子本体１０と窓枠１０２との隙間に位置するように構成されている。そのため、面格子本体１０が第２設置位置にあるときも、面格子本体１０を十分に持ち上げることができず、面格子本体１０を窓枠１０２から取り外すことができない。
【００５０】
なお、第１間隙部材１５と第２間隙部材１６は窓枠１０２の幅方向中央部分を避けて固定されている。そして、第１間隙部材１５と第２間隙部材１６との距離は、面格子本体１０の幅寸法よりも大きい。そのため、第１間隙部材１５と第２間隙部材１６の間の位置では、面格子本体１０を屋外レール１０８に対して着脱することができる。つまり、屋外レール１０８の中央部分に対応する「着脱位置」においては、面格子本体１０を屋外レール１０８に対して着脱することができる。
【００５１】
＜取付作業の手順＞
続いて、面格子１００の取付作業の手順について説明する。ここでは、引き違い窓１０１の内障子１０３及び外障子１０４の両方が閉まった状態において屋外側から面格子１００を窓枠１０２に取り付ける場合について説明する。また、面格子１００は、第１設置位置に設置するものとする。
【００５２】
まず、屋外レール１０８の中央部分に対応する着脱位置において、面格子本体１０を窓枠１０２（屋外レール１０８）に取り付ける。面格子本体１０を窓枠１０２の上部に押し当てるようにして持ち上げ、その状態で面格子本体１０の下端部分を下側の屋外レール１０８に嵌め込めば、面格子本体１０を屋外レール１０８に取り付けることができる。
【００５３】
その後、閉まった状態の内障子１０３に対応する第１設置位置に面格子本体１０をスライドさせる（図１及び図２参照）。前述のとおり、面格子本体１０が第１設置位置にあるとき、面格子本体１０を屋外レール１０８から取り外すことはできない。
【００５４】
ただし、面格子本体１０を第１設置位置にスライドさせる際には、第２係止部材１３を非係止位置に維持する状態（図６の（ａ）に示す状態）とする。さらに、第１係止部材１１を係止位置に移動可能な状態（図６の（ｂ）に示す状態）とする。これにより、面格子本体１０がスライドし始めたときは第１係止部材１１が外障子１０４の屋外側の面に押し当てられた状態にあり係止位置へ移動できないが、面格子本体１０スライドして第１設置位置に達すると、第１係止部材１１は第１付勢部材１２に付勢されて係止位置に移動する。
【００５５】
第１係止部材１１が係止位置に移動すると、面格子本体１０は第１係止部材１１に係止し、第１設置位置から着脱位置へスライドできなくなるため（面格子本体１０のスライドが規制されるため）、面格子本体１０を屋外から取り外すことができなくなる。このように、本実施形態では、屋外からの作業のみで面格子１００を屋外から取り外されない状態にすることができる。なお、面格子本体１０が第１設置位置に設置された場合、内障子１０３を開くことで面格子１００を介して屋外の空気を屋内へ取り入れることができる。
【００５６】
以上が面格子１００を第１設置位置に設置する取付作業の説明であるが、前述のとおり、面格子本体１０が第１設置位置に設置された後は、状況に応じて使用者が面格子本体１０の設置位置を第２設置位置に変更することができる（図３及び図４参照）。面格子本体１０の設置位置を第１設置位置から第２設置位置に変更する作業は、屋内から行うことになる。
【００５７】
具体的には、面格子本体１０が第１設置位置にある状態で内障子１０３を開け、第１係止部材１１を非係止位置に移動させ、その状態を維持させる（図６の（ａ）に示す状態）。その後、内障子１０３を閉めるとともに外障子１０４を開け、面格子本体１０を第２設置位置にスライドさせる。その後、第２係止部材１３を係止位置に移動させれば、面格子本体１０の第２設置位置への設置が完了する。
【００５８】
面格子本体１０をこのように設置すると、面格子本体１０が第２設置位置から着脱位置へスライドしようとしても第２係止部材１３が外障子１０４の側端面に係止するため、面格子本体１０は第２設置位置から着脱位置へスライドすることができない（面格子本体１０のスライドが規制される）。その結果、面格子本体１０を屋外から取り外すことができなくなる。面格子本体１０が第２設置位置に設置された場合も、面格子１００を介して屋外の空気を屋内へ取り入れることができる。また、面格子本体１０が第２設置位置にあるときは、屋外からクレセント錠１０５が破壊されにくく防犯上有利である。
【００５９】
以上、第１実施形態に係る面格子１００について説明したが、面格子１００は上述した構成に限られない。例えば、本実施形態の第１係止部材１１及び第２係止部材１３は、軸まわりに回転させることにより非係止位置に維持される状態から係止位置に維持される状態に変更するように構成されていたが、これらを軸方向に押し込むことにより非係止位置に維持される状態から係止位置に維持される状態に変更するように構成されていてもよい。
【００６０】
また、実施形態に係る面格子１００では、第１係止部材１１及び第２係止部材１３が係止位置と非係止位置との間で容易に移動させることができるが、第１係止部材１１及び第２係止部材１３に鍵を設け、鍵を閉めた状態では係止位置と非係止位置との間で移動できないようにしてもよい。
【００６１】
また、実施形態に係る面格子１００は、第１係止部材１１と第２係止部材１３の両方を備えているが、このうち第１係止部材１１のみを備えていてもよい。
【００６２】
また、本実施形態に係る面格子１００は、面格子本体１０が羽板２２を有していたが、これに代えて円柱状のポールなど他の部材を有していてもよい。
【００６３】
また、本実施形態に係る面格子１００の第１間隙部材１５及び第２間隙部材１６は上側の屋外レール１０８に固定されていたが、上側と下側の両方の屋外レール１０８に固定されていてもよく、下側の屋外レール１０８にのみ固定されていてもよい。
【００６４】
（第２実施形態）
次に、本発明の第２実施形態に係る面格子２００について説明する。本実施形態に係る面格子２００は、第１係止部材１１及び第２係止部材１３を備えておらず、これらに代えて第３係止部材４１を備えている点で、第１実施形態に係る面格子１００と構成が異なる。それ以外は、第１実施形態に係る面格子１００と第２実施形態に係る面格子２００とは基本的に構成が同じである。以下、第１実施形態に係る面格子１００と相違する点を中心に第２実施形態に係る面格子２００について説明する。なお、図７乃至図１０において、第１実施形態に係る面格子１００の構成要素と同じ又は対応する構成要素には同じ符号を付し、重複する説明は省略する。
【００６５】
＜面格子の構成＞
図７は、本実施形態に係る面格子２００を屋外から見た図であって、面格子本体１０が第１設置位置にある状態の図である。図８は、面格子２００を屋外から見た図であって、面格子本体１０が第２設置位置にある状態の図である。図９は、面格子２００の斜視図であって、第３係止部材４１が非係止位置にある状態の図である。図１０は、面格子２００の斜視図であって、第３係止部材４１が係止位置にある状態の図である。
【００６６】
前述のとおり、本実施形態に係る面格子１００は、第３係止部材４１を備えている。図９及び図１０で示すように、第３係止部材４１は、面格子本体１０の幅方向（スライド方向）に延びており、板状の形状を有している。第３係止部材４１は、面格子本体１０に設けられており、面格子本体１０の幅方向に延びる回動軸４２の軸まわりに回動できるように構成されている。なお、第３係止部材４１は回動する際にその回動に対してある程度抵抗力が加わり、外部から一定以上の力を加えなければどちらの方向にも回動できないように構成されている。
【００６７】
さらに、第３係止部材４１は、非係止位置と非係止位置よりも屋内側の係止位置との間で変位するように構成されている。本実施形態では、図９で示す第３係止部材４１の位置が非係止位置であり、図１０で示す第３係止部材４１の位置が係止位置である。つまり、第３係止部材４１は、図９で示すように面格子本体１０に対して平行であって非係止位置に相当する平行位置と、図１０で示すように面格子本体１０に対して垂直であって係止位置に相当する垂直位置との間で面格子本体１０に対して回動可能に構成されている。
【００６８】
また、面格子２００は、ロック機構４３を備えている。本実施形態のロック機構４３は、板状の跳ね出し部材４４と、面格子本体１０に形成され跳ね出し部材４４を収容する収容部４５と、跳ね出し部材４４を付勢して回動させる図外の付勢部と、を有している。跳ね出し部材４４は、第３係止部材４１が非係止位置（図９）にあるとき第３係止部材４１によって押し込まれて収容部４５に収容されているが、第３係止部材４１が非係止位置から係止位置（図１０）に変位すると鉛直方向に延びる回動軸回りに回動して第３係止部材４１の上面へ移動する。これにより、跳ね出し部材４４はストッパとして機能し、第３係止部材４１は係止位置から非係止位置への変位が規制されることになる。
【００６９】
＜取付作業の手順＞
続いて、面格子２００の取付作業の手順について説明する。本実施形態においても、面格子２００を屋外から取り付ける場合には、内障子１０３及び外障子１０４が閉じた状態で第１設置位置（図７で示す位置）に取り付けることになる。なお、第１実施形態の場合と同様に、第１設置位置は、閉じた内障子１０３に対応する位置である。
【００７０】
まず、屋外レール１０８の中央部分に対応する着脱位置において、面格子本体１０を窓枠１０２（屋外レール１０８）に取り付ける。その後、第１設置位置（図７）に面格子本体１０をスライドさせる。そして、面格子本体１０と外障子１０４の隙間から長細い棒状の治具（図外）を挿入して第３係止部材４１を操作し、第３係止部材４１を非係止位置から係止位置へ変位させる。第３係止部材４１が変位すると、跳ね出し部材４４が回動し、第３係止部材４１は係止位置から非係止位置への変位が規制される。
【００７１】
これにより、面格子本体１０を第１係止位置から着脱位置にスライドさせようとしても、面格子本体１０は第３係止部材４１の一端部分（図７における第３係止部材４１の右側端部分）が閉じた外障子１０４の側端面と接触してスライドが規制されることになる。つまり、面格子本体１０を着脱位置にスライドさせて着脱することができなくなる。しかも、跳ね出し部材４４がストッパとして機能しているため、屋外からは第３係止部材４１を係止位置から非係止位置に変位させることはできず、面格子本体１０のスライド規制を解除することはできない。
【００７２】
上記のとおり、第３係止部材４１は、非係止位置から係止位置への変位は屋外から操作することができる一方、係止位置から非係止位置への変位を屋外から操作不能に構成されている。したがって、本実施形態に係る面格子２００においても、屋外からの作業のみで屋外から取り外されない状態とすることができる。
【００７３】
なお、第１実施形態の場合と同様に、面格子本体１０が第１設置位置に設置された後は、状況に応じて使用者が面格子本体１０の設置位置を第２設置位置（閉じた外障子１０４に対応する位置）に変更することができる（図８参照）。面格子本体１０の設置位置を第１設置位置から第２設置位置に変更する作業は屋内から行うことになる。
【００７４】
具体的には、面格子本体１０が第１設置位置にある状態で内障子１０３を開け、第３係止部材４１を非係止位置に変位させる（図９に示す状態）。その後、内障子１０３を閉めるとともに外障子１０４を開け、面格子本体１０を第２設置位置にスライドさせる。その後、第３係止部材４１を係止位置に変位させれば、面格子本体１０の第２設置位置への設置が完了する。
【００７５】
本実施形態では、面格子本体１０が第２設置位置から着脱位置へスライドしようとしても第３係止部材４１の他端部分（図８における第３係止部材４１の左側端部分であって、閉じた外障子１０４と接触する一端部分とは幅方向反対側に位置する部分）が開いた外障子１０４の側端面に係止するため、面格子本体１０は第２設置位置から着脱位置へスライドすることができない（面格子本体１０のスライドが規制される）。その結果、面格子本体１０を屋外から取り外すことができなくなる。さらに、本実施形態によれば、第１設置位置及び第２設置位置のいずれにおいても第３係止部材４１を用いて面格子本体１０を設置（固定）することができる。
【００７６】
また、内障子１０３を開けたときにクレセント錠１０５が窓枠１０２に接触して壊れないように、内障子１０３は窓枠１０２の幅いっぱいまで開けることができないように構成されている。そのため、第１実施形態の場合では、面格子本体１０が第１設置位置にある状態（図１に示す状態）において内障子１０３を全開にしても、第１係止部材１１が内障子１０３と重なって屋内から第１係止部材１１の操作をできないおそれがある。これに対し、本実施形態では面格子本体１０が第１設置位置にある状態（図７に示す状態）であっても、内障子１０３をある程度開けば第３係止部材４１の操作が可能となる。
【００７７】
以上、第２実施形態に係る面格子２００ついて説明したが、面格子２００は上述した構成に限られない。例えば、第３係止部材４１が１枚の板材で形成されるのではなく、面格子本体１０の幅方向に並んだ２枚以上の板材によって形成されていてもよい。また、例えば、ロック機構４３は鉛直方向に延びる回動軸回りを回動する跳ね出し部材４４に代えて、屋内に向かって突出する部材を備えていてもよい。
【００７８】
また、第２実施形態に係る面格子２００では、第３係止部材４１が面格子本体１０（枠部材２１）の上方部分に設けられているが、第３係止部材４１の上下方向位置は特に限定されない。例えば、第３係止部材４１は、面格子本体１０の下方部分に設けられていてもよい。さらに、枠部材２１が上下方向中央部分において面格子本体１０の幅方向に延びる中央枠部を有しており、この中央枠部に第３係止部材４１が設けられていてもよい。
【符号の説明】
【００７９】
１０  面格子本体
１１  第１係止部材
１２  第１付勢部材
１３  第２係止部材
１４  第２付勢部材
１５  第１間隙部材
１６  第２間隙部材
２０  開口部
２３  ネット
４１  第３係止部材
４３  ロック機構
１００、２００  面格子
１０１  引き違い窓
１０２  窓枠
１０３  内障子
１０４  外障子
１０８  屋外レール
【図１】
2019007330.tif 000003
【図２】
2019007330.tif 000004
【図３】
2019007330.tif 000005
【図４】
2019007330.tif 000006
【図５】
2019007330.tif 000007
【図６】
2019007330.tif 000008
【図７】
2019007330.tif 000009
【図８】
2019007330.tif 000010
【図９】
2019007330.tif 000011
【図１０】
2019007330.tif 000012